(57)【特許請求の範囲】
【請求項１】
電池を収納する凹状の電池収納部を有する電子機器本体と、該電池収納部を覆う板状の電池蓋とを有する電子機器であって、
上記電池蓋の裏面周縁には、外方へ延びる１つのロック用爪と、該ロック用爪と同じ方向に延びる複数の係止用爪とが形成され、該ロック用爪の先端には、表面側へ突出する鉤部が形成され、
上記電池収納部の周縁には、上記電池蓋周縁を受ける電池蓋支持用段部が形成され、
上記電池蓋支持用段部における上記係止用爪に対応する部分には、該係止用爪が係止される係止部が形成され、
上記電池蓋支持用段部における上記ロック用爪に対応する部分には、該ロック用爪が挿入されてその周縁で鉤部を係止するロック用孔が形成され、該ロック用孔周辺の電池蓋支持用段部には、電池蓋周縁を受ける部分よりも低い位置に電池蓋押出用段部が形成され、
上記電池蓋支持用段部と電池蓋押出用段部とをつなぐガイド部は、上記電池蓋のロック用爪周辺を押圧した際にロック用爪とロック用孔との係合を解除すると共に、上記電池収納部の外側から内側に向かって下方に向かうように傾斜している
ことを特徴とする電子機器。
【請求項２】
請求項１に記載の電子機器において、
上記電池蓋支持用段部と上記ガイド部とを連結する第１の稜線は、上記電池収納部の内側に広く、外側に狭くなる平面視ハ字状に形成されている
ことを特徴とする電子機器。
【請求項３】
請求項１又は２に記載の電子機器において、
上記ガイド部と電池蓋押出用段部とを連結する第２の稜線は、上記電池収納部の内側に広く、外側に狭くなる平面視ハ字状に形成されている
ことを特徴とする電子機器。
【請求項４】
請求項１乃至３のいずれか１つに記載の電子機器において、
上記複数の係止用爪は、上記ロック用爪の延びる方向に電池蓋を離脱させる一方、ロック用爪の延びる方向と垂直な方向には、電池蓋が外れないように電池蓋の動きを規制するように構成されている
ことを特徴とする電子機器。
【請求項５】
請求項４に記載の電子機器において、
上記電池蓋押圧時の電池蓋の離脱する方向の移動量は、上記係止用爪の長さよりも大きくなるように構成されている
ことを特徴とする電子機器。
【発明の詳細な説明】
【技術分野】
【０００１】
本発明は、携帯電話機、カメラ、オーディオ機器、電子計算機、パソコン、電子辞書、モバイルツール等、電池を収納可能とした電子機器の電池収納部の構造に関する。
【背景技術】
【０００２】
従来より、携帯電話機、カメラ、オーディオ機器、電子計算機、パソコン、電子辞書、モバイルツール等の電池を収納可能とした電子機器は、電池蓋に覆われた電池収納部内に電池を脱着可能に装着している。
【０００３】
例えば、特許文献１では、携帯機器本体のリアケースの電池装填部における上縁部所要箇所に凹状切欠部を形成し、該凹状切欠部の両側部内面側に係止片を形成する一方、電池蓋の表面側上端部に、上記凹状切欠部に対して嵌入及び離脱自在な指当て部を凸状に張り出すよう形成し、該指当て部の両側部内面側に、上記係止片に対して係合及び離脱自在な係止爪を形成し、電池蓋のロック機構を構成している。このことで、落下衝撃による電池蓋の脱落を防止し得、かつ電池蓋の脱着時における操作性を改善している。
【０００４】
また、例えば、特許文献２では、筐体本体の電池収納部をカバーするように電池蓋を取り付けた際に、電池蓋から延出したロック爪が筐体本体の凹部に嵌合することによって、筐体本体に電池蓋をロックし、電池蓋を取り外す際には、筐体本体におけるロック爪の対向部位に形成した解除穴にボールペンや鉛筆の先端部を挿入してロック爪を押圧することによりロック状態を解除し、更に電池蓋をスライドさせるという２つの動作を行うことで、電池蓋が安易に外れないようにしている。
【特許文献１】特開２００１−１１８５５４号公報
【特許文献２】特開２００２−２１６７２８号公報
【発明の開示】
【発明が解決しようとする課題】
【０００５】
しかしながら、上記特許文献１及び２では、落下衝撃による電池蓋の脱落防止や、その他の場合に電池蓋が安易に外れないようにするために、電池蓋は、指で押圧しながら、又はボールペン等でロック状態を解除した後に、更にスライドする方向に力を加えなければならず、操作が煩雑であるという問題がある。
【０００６】
本発明は、かかる点に鑑みてなされたものであり、その目的とするところは、使用時には容易に電池蓋が外れないようにしながら、電池取り出し時には、指で押圧する動作のみで容易に電池蓋が外れるようにすることにある。
【課題を解決するための手段】
【０００７】
上記の目的を達成するために、この発明では、電池蓋のロック用爪を係止するロック部周辺の構造に工夫を加えた。
【０００８】
具体的には、第１の発明では、電池を収納する凹状の電池収納部を有する電子機器本体と、該電池収納部を覆う板状の電池蓋とを有する電子機器を対象とし、
上記電池蓋の裏面周縁には、外方へ延びる１つのロック用爪と、該ロック用爪と同じ方向に延びる複数の係止用爪とが形成され、該ロック用爪の先端には、表面側へ突出する鉤部が形成され、
上記電池収納部の周縁には、上記電池蓋周縁を受ける電池蓋支持用段部が形成され、
上記電池蓋支持用段部における上記係止用爪に対応する部分には、該係止用爪が係止される係止部が形成され、
上記電池蓋支持用段部における上記ロック用爪に対応する部分には、該ロック用爪が挿入されてその周縁で鉤部を係止するロック用孔が形成され、該ロック用孔周辺の電池蓋支持用段部には、電池蓋周縁を受ける部分よりも低い位置に電池蓋押出用段部が形成され、
上記電池蓋支持用段部と電池蓋押出用段部とをつなぐガイド部は、上記電池蓋のロック用爪周辺を押圧した際にロック用爪とロック用孔との係合を解除すると共に、上記電池収納部の外側から内側に向かって下方に向かうように傾斜している。
【０００９】
上記の構成によると、電池蓋が電池収納部を覆っているときには、ロック用爪がロック用孔に挿入され、その鉤部がロック用孔に係合すると共に、複数の係止用爪がそれぞれ係止部に係合した状態で、電池蓋の周縁が電池蓋支持用段部に受けられるので、電子機器を落下等させても容易に電池蓋が外れることはない。一方、電池蓋を取り外す際にはロック用爪周辺の電池蓋を押圧することにより、電池蓋の周縁が撓んで、ガイド部に当接しながらロック用爪をロック用孔内で押圧方向に移動させてその鉤部とロック用孔周縁との係合を解除し、更に電池蓋をロック用爪の延びる方向とは逆方向にスライドさせ、ロック用爪をロック用孔から抜き出させると共に、複数の係止用爪を係止部から離脱させることで、電池蓋のスライド方向に力を加えることなく、電池蓋が電子機器本体から容易に取り外される。すなわち、電池蓋に加えられた力は、電池蓋周縁に伝わり、その周縁がガイド部に当接すると、その力の方向がガイド部によってロック用爪をロック用孔の周縁から引き離そうとする方向に変えられるので、電池蓋のスライド方向に力を加えることなく、電池蓋が電子機器本体から容易に取り外される。
【００１０】
第２の発明では、上記電池蓋支持用段部と上記ガイド部とを連結する第１の稜線は、上記電池収納部の内側に広く、外側に狭くなる平面視ハ字状に形成されている。
【００１１】
上記の構成によると、電池蓋を押圧した際にその押圧力が係止用爪をロック用孔の周縁から引き離すと共に、係止用爪を係止部から離脱させる方向に適切に変えられる。
【００１２】
第３の発明では、上記ガイド部と電池蓋押出用段部とを連結する第２の稜線は、上記電池収納部の内側に広く、外側に狭くなる平面視ハ字状に形成されている。
【００１３】
上記の構成によると、電池蓋を押圧した際にその押圧力が係止用爪をロック用孔の周縁から引き離すと共に、係止用爪を係止部から離脱させる方向に適切に変えられる。
【００１４】
第４の発明によると、上記複数の係止用爪は、上記ロック用爪の延びる方向に電池蓋を離脱させる一方、ロック用爪の延びる方向と垂直な方向には、電池蓋が外れないように電池蓋の動きを規制するように構成されている。
【００１５】
上記の構成によると、電池収納部を電池蓋で覆っている際には、係止用爪によってロック用爪の延びる方向と垂直な方向に電池蓋が外れないように規制されるので、電池蓋が落下等の衝撃により誤って外れにくい。一方、電池蓋を取り外すときには、電池蓋がガイド部の作用によりスライド移動されるときには、その移動を阻害しないので、電池蓋が容易に取り外される。
【００１６】
第５の発明によると、上記電池蓋押圧時の電池蓋の離脱する方向の移動量は、上記係止用爪の長さよりも大きくなるように構成されている。
【００１７】
上記の構成によると、電池蓋を取り外すときに電池蓋がガイド部の作用によりスライド移動されると、係止用爪と係止部との係合が確実に解除され、電池蓋が容易に取り外される。
【発明の効果】
【００１８】
以上説明したように、本発明によれば、電池蓋の裏面周縁に、外方へ延びて先端に表面側へ突出する鉤部を有するロック用爪と、該ロック用爪と同じ方向に延びる複数の係止用爪とを形成し、電池蓋支持用段部と電池蓋押出用段部とをつなぐガイド部を、電池蓋のロック用爪周辺を押圧した際にロック用爪とロック用孔との係合を解除すると共に、電池蓋を電子機器本体から離脱させるように傾斜させている。このため、使用時には容易に電池蓋が外れないようにしながら、電池取り出し時には、指で押圧する動作のみで容易に電池蓋が外れるようにすることができる。
【発明を実施するための最良の形態】
【００１９】
以下、本発明の実施形態を図面に基づいて説明する。
【００２０】
図１は、本発明の実施形態に係る携帯用電子機器としての携帯電話機１の開いた状態を右方向から見た斜視図である。図２は、図１の閉じた状態を右方向から見た斜視図である。図３は、図２の裏側から見た斜視図である。
【００２１】
図１乃至図３に示すように、本実施形態の携帯電話機１は、第１の筐体２と、第２の筐体３とを有し、これらがヒンジ部４によって折り畳自在に結合されている。また、第１の筐体２には、回転機構５が設けられ、この回転機構５により、略矩形板状の表示部としての液晶表示部６が縦長状態と横長状態とに切換操作可能に支持されている。この液晶表示部６の表面側に液晶ディスプレイ６ａ、受話部７等が設けられ、裏面側にはサブ表示部１１が設けられている。
【００２２】
上記第２の筐体３の表面側には、送話部８、入力ボタン９、機能ボタン１０等が設けられ、裏面側にはアンテナ１２、電池蓋４０、カメラ１４、カメラ切換ボタン１５、装飾用カバー１６等が設けられている。
【００２３】
そして、電話やメールするときには図１のように開いた状態で行い、電話やメールが終われば図２のように閉じた状態で待機し、着信があればサブ表示部１１に着信があったことを知らせる表示が出るようになっている。
【００２４】
また、ＴＶを見たり、メールを横長状態で行いたいときは、図示しないが、液晶表示部６を回転機構５によって横長状態に回転して行うようになっている。
【００２５】
図４は、図３のIV−IV線断面図である。図５は、電池蓋４０を裏側キャビネット２０に取り付けた状態を示す斜視図である。図６は、裏側キャビネット２０の電池蓋４０を取り除いた斜視図である。図７は、裏側キャビネット２０の電池蓋４０を取り除いた平面図である。図８は、電池蓋を表から見た斜視図である。図９は、電池蓋４０を裏から見た斜視図である。
【００２６】
図４に示すように、第１の筐体２は、電子機器本体の一部である第２の筐体３の表面側を形成する表側キャビネット１９と裏面側を形成する裏側キャビネット２０とを備えている。裏側キャビネット２０の内部に電池２１が装着されている。
【００２７】
図５に示すように、電池２１は、上記電池蓋４０で覆われている。図８及び図９にも示すように、電池蓋４０と裏側キャビネット２０とは、樹脂成形品で構成されている。樹脂成形品は、複雑な形状でも成形が容易であり、電池蓋４０を押圧した際に適度に撓む。電池蓋４０の裏面周縁における長手方向の一方側（携帯電話機１の背面から見て右側）には、外方へ延びる１つのロック用爪４１が形成されている。図４に示すように、ロック用爪４１の先端には、表面側へ突出する鉤部４１ａが形成されている。ロック用爪４１は、後述するロック用孔２５の内部に入って、その鉤部４１ａがロック用孔２５の周縁に引っ掛かって固定されるようになっている。
【００２８】
電池蓋４０の裏面周縁には、ロック用爪４１と同じ方向に延びる複数の係止用爪４２，４３，４４が形成されている。具体的には、ロック用爪４１が設けられた電池蓋４０の側面には、ロック用爪４１を挟むように左右対称に２つの係止用爪４２が形成されている。ロック用爪４１の設けられた側面と反対側面には、３つの係止用爪４３が形成されている。電池蓋４０の幅方向両端裏面には、裏側キャビネット２０の上側に相当する部分に１つ、下側に相当する部分に２つの係止用爪４４が形成されている。これらの係止用爪の設置箇所や個数は、これに限定されない。係止用爪４２，４３，４４は、上記ロック用爪４１の延びる方向に電池蓋４０を離脱させる一方、ロック用爪４１の延びる方向と垂直な方向には、電池蓋４０が外れないように電池蓋４０の動きを規制するように構成されている。電池蓋４０表面のロック用爪４１周辺には、押圧用目印４８が突出して形成されている。押圧用目印４８は、電池蓋４０を裏側キャビネット２０に取り付けた後、ロック用爪４１の位置を示すための目印となっている。押圧用目印４８は、突出して形成するのではなく、凹陥させて形成してもよく、要は目印の役割を果たすものであればよい。押圧用目印４８は、電池蓋４０の成形時に一体に形成するのが望ましい。
【００２９】
図６及び図７に示すように、電池蓋４０を取り外すと、裏側キャビネット２０には、電池２１を挿入するために略矩形状に凹陥された電池収納部２２が露出する。電池収納部２２の周縁には、上記電池蓋４０周縁を受ける電池蓋支持用段部２３が形成されている。この電池蓋支持用段部２３における上記係止用爪４２，４３，４４に対応する部分には、該係止用爪４２，４３，４４が係止される係止部４５，４６，４７がそれぞれ形成されている。
【００３０】
図１０は、図７のＸ方向矢視図である。図１１は、図７のＡ部拡大図である。図１２は、図６のＢ部拡大図である。
【００３１】
図１０乃至図１２にも示すように、上記電池蓋支持用段部２３におけるロック用爪４１に対応する部分には、該ロック用爪４１が挿入されてその周縁で鉤部４１ａを係止するロック用孔２５が形成されている。ロック用孔２５周辺の電池蓋支持用段部２３には、電池蓋４０周縁を受ける部分よりも低い位置に電池蓋押出用段部２６が形成されている。
【００３２】
上記電池蓋支持用段部２３と電池蓋押出用段部２６とをつなぐガイド部２７は、上記電池蓋４０のロック用爪４１周辺を押圧した際にロック用爪４１とロック用孔２５との係合を解除すると共に、電池蓋４０を裏側キャビネット２０から離脱させるように傾斜している。上記電池蓋４０押圧時の電池蓋４０の離脱する方向の移動量は、上記係止用爪４２，４３，４４の長さよりも大きくなるように構成されている。
【００３３】
具体的には、上記電池蓋支持用段部２３と上記ガイド部２７とを連結する第１の稜線３０は、上記電池収納部２２の内側（図１１の右側）に広く、外側に狭くなる平面視ハ字状に形成されている。第１の稜線３０は、上記ロック用孔２５を中心に左右対称に設けられている。上記ガイド部２７と電池蓋押出用段部２６とを連結する第２の稜線３１は、上記電池収納部２２の内側に広く、外側に狭くなる平面視ハ字状に形成されている。第２の稜線３１は、上記ロック用孔２５を中心に左右対称に設けられている。このようにガイド部２７は、平面視略平行四辺形に形成され、上記電池収納部２２の外側から内側に向かって下方（電池収納部２２の底面側）に向かうように傾斜している。
【００３４】
−作用−
次に、本実施形態にかかる携帯電話機１の作用について説明する。
【００３５】
まず、電池蓋４０を電池収納部２２に取り付ける手順について説明する。
【００３６】
最初に、電池収納部２２に電池２１を収納しておく。
【００３７】
次いで、電池蓋４０を電池蓋支持用段部２３にその裏側周縁を当接させながら、ロック用爪４１が設けられた側面からロック用孔２５に向けてスライドさせる。
【００３８】
すると、ロック用爪４１がロック用孔２５に挿入され、その鉤部４１ａがロック用孔２５周縁に係合すると共に、複数の係止用爪４２，４３，４４がそれぞれ係止部４５，４６，４７に係合した状態で、電池蓋４０の周縁が電池蓋支持用段部２３に当接する。このため、携帯電話機１を落下等させても容易に電池蓋４０が外れることはない。また、係止用爪４２，４３，４４によってロック用爪４１の延びる方向と垂直な方向に電池蓋４０が外れないように規制されるので、電池蓋４０が落下等の衝撃により誤って外れにくい。
【００３９】
次に、電池蓋４０を電池収納部２２から取り外す手順について説明する。
【００４０】
まず、ロック用爪４１周辺の押圧用目印４８を押圧する。このように、押圧用目印４８を設けることで、電池蓋４０の押圧する位置が容易に分かり、適切な箇所を押圧することで電池蓋４０が容易に取り外される。
【００４１】
押圧用目印４８を押さえることにより、押さえた部分を中心に電池蓋４０が撓み、電池蓋４０の裏面周縁が第１の稜線３０に接触し、更に押圧すると接触部はガイド部２７に移動し始める。すなわち、ガイド部２７の作用により、電池蓋４０を押圧した際にその押圧力がロック用爪４１をロック用孔２５の周縁から引き離すと共に、係止用爪４２，４３，４４を係止部４５，４６，４７からそれぞれ離脱させる方向に適切に変えられる。
【００４２】
このことで、電池蓋４０の裏面周縁が、ガイド部２７に当接しながらロック用爪４１がロック用孔２５内で下方に移動し、ロック用爪４１の鉤部４１ａとロック用孔２５との係合が解除される。
【００４３】
すると、特に電池蓋４０をスライドさせる方向に力を加えることなく、ガイド部２７の作用により、電池蓋４０がロック用爪４１の延びる方向とは逆方向にスライドする。このことで、ロック用爪４１がロック用孔２５から抜き出ると共に、複数の係止用爪４２，４３，４４が係止部４５，４６，４７から離脱する。
【００４４】
このように、電池蓋４０に加えられた力は、電池蓋４０周縁に伝わり、その周縁がガイド部２７に当接すると、その力の方向がガイド部２７によってロック用爪４１をロック用孔２５の周縁から引き離そうとする方向に変えられるので、スライド方向に力を加えることなく、電池蓋４０が裏側キャビネット２０から容易に取り外される。
【００４５】
電池蓋４０がガイド部２７の作用によりスライド移動されるときには、係止用爪４２，４３，４４は、その移動を阻害せず、また、電池蓋４０押圧時の電池蓋４０の離脱する方向の移動量は、係止用爪４２，４３，４４の長さよりも大きいので、係止用爪４２，４３，４４と係止部４５，４６，４７との係合が確実に解除され、電池蓋４０が容易に取り外される。
【００４６】
−実施形態の効果−
したがって、本実施形態にかかる携帯電話機１によると、電池蓋４０の裏面周縁に、外方へ延びて先端に表面側へ突出する鉤部４１ａを有するロック用爪４１と、該ロック用爪４１と同じ方向に延びる複数の係止用爪４２，４３，４４とを形成し、電池蓋支持用段部２３と電池蓋押出用段部２６とをつなぐガイド部２７を、電池蓋４０のロック用爪４１周辺を押圧した際にロック用爪４１とロック用孔２５との係合を解除すると共に、電池蓋４０を裏側キャビネット２０から離脱させるように傾斜させている。このため、使用時には容易に電池蓋４０が外れないようにしながら、電池２１取り出し時には、指で押圧する動作のみで容易に電池蓋４０が外れるようにすることができる。
【００４７】
（その他の実施形態）
本発明は、上記実施形態について、以下のような構成としてもよい。
【００４８】
すなわち、上記実施形態では、ガイド部２７は、平面視略平行四辺形に形成されているものとしたが、必ずしも平行四辺形である必要はなく、図１３に示すように、第１の稜線１３０と第２の稜線１３１とが平行である必要はなく、電池収納部２２の内側に広く、外側に狭くなる平面視ハ字状に、かつ、上記ロック用孔２５を中心に左右対称になるように、ガイド部１２７を形成してもよい。
【００４９】
上記実施形態では、回転機構５を設けて第１の筐体２を縦長状態から横長状態に回転可能としているが、回転機構５を設けなくてもよい。また、ヒンジ部４を設けて第１の筐体２と第２の筐体３とを折り畳み自在に結合しているが、ストレートタイプの携帯電話機であってもよい。
【００５０】
上記実施形態では、液晶ディスプレイの例を示したが、表示部は、有機ＥＬ表示ディスプレイを備えていてもよい。
【００５１】
上記実施形態では、電子機器は、携帯電話機としたが、カメラ、オーディオ機器、電子計算機、パソコン、電子辞書、モバイルツール、各種リモコン等、電池を収納可能としたあらゆる電子機器であれば何でもよい。
【００５２】
なお、以上の実施形態は、本質的に好ましい例示であって、本発明、その適用物や用途の範囲を制限することを意図するものではない。
【産業上の利用可能性】
【００５３】
以上説明したように、本発明は、カメラ、オーディオ機器、電子計算機、パソコン、電子辞書、モバイルツール、各種リモコン等、電池を収納可能としたあらゆる電子機器について有用である。
【図面の簡単な説明】
【００５４】
【図１】本発明の実施形態に係る電子機器としての携帯電話機の開いた状態を右方向から見た斜視図である。
【図２】図１の閉じた状態を右方向から見た斜視図である。
【図３】図２の裏側から見た斜視図である。
【図４】図３のIV−IV線断面図である。
【図５】電池蓋を裏側キャビネットに取り付けた状態を示す斜視図である。
【図６】裏側キャビネットの電池蓋を取り除いた斜視図である。
【図７】裏側キャビネットの電池蓋を取り除いた平面図である。
【図８】電池蓋を表から見た斜視図である。
【図９】電池蓋を裏から見た斜視図である。
【図１０】図７のＸ方向矢視図である。
【図１１】図７のＡ部拡大図である。
【図１２】図６のＢ部拡大図である。
【図１３】その他の実施形態に係る図１１相当図である。
【符号の説明】
【００５５】
１      携帯電話機（電子機器、携帯用電子機器）
２０      裏側キャビネット（電子機器本体）
２１      電池
２２      電池収納部
２３      電池蓋支持用段部
２５      ロック用孔
２６      電池蓋押出用段部
２７      ガイド部
３０      第１の稜線
３１      第２の稜線
４０      電池蓋
４１      ロック用爪
４１ａ    鉤部
４２，４３，４４      係止用爪
４５，４６，４７      係止部
４８      押圧用目印
１３０      第１の稜線
１３１      第２の稜線
【図１】
0004790440.tif 000002
【図２】
0004790440.tif 000003
【図３】
0004790440.tif 000004
【図４】
0004790440.tif 000005
【図５】
0004790440.tif 000006
【図６】
0004790440.tif 000007
【図７】
0004790440.tif 000008
【図８】
0004790440.tif 000009
【図９】
0004790440.tif 000010
【図１０】
0004790440.tif 000011
【図１１】
0004790440.tif 000012
【図１２】
0004790440.tif 000013
【図１３】
0004790440.tif 000014